(57)【要約】      （修正有）【課題】密封用チャックの開封の利便性を向上し得る加圧密封用チャック付き包装袋を提供する。【解決手段】内側に加圧密封用チャックと、チャックの上端部にチャックと並行に切り目２が設けられている包装用袋１において、切り目２の線を湾曲あるいは屈曲させて、切り目２の中央部２ａ〜２ｃを周縁側１１に膨らませた山型とする。こうすることで、上端部を手でちぎった後は、この山型部分が掴み部となる。この山型の縁部は、チャックのラインと並行ではなく、また、チャックのラインと近接していない。このため、山型の頂上部分は、前面と背面とが同一形状であっても密着状態になり難く、指先等を挿入する隙間が生じやすくなる。さらに、一回開くと、その後は山型の頂上部分が花弁のように開き、２回目以降は更に指先等を挿入する隙間が生じやすくなり開けやすくなる。【選択図】図１
0003188315.tif 000002
【実用新案登録請求の範囲】
【請求項１】
内側に加圧密封用チャックと、該チャックの上端部に切り目が設けられている包装用袋において、
切り目の線を湾曲あるいは屈曲させて、切り目の中央部を周縁側に膨らませた山型としたことを特徴とする包装用袋。
【請求項２】
切り目に沿って切り取った後、上記の周縁側に膨らませた山型部分が２つの掴み部となり、該２つの掴み部を反対方向に開けることにより、前記チャックの開封が行われることを特徴とする請求項１に記載の包装用袋。
【考案の詳細な説明】
【技術分野】
【０００１】
本考案は、加圧密封用チャック付き包装袋の開封の利便性を向上させる技術に関するものである。
【背景技術】
【０００２】
市場において、様々な商品の包装袋として出回っている加圧密封用チャック機能の付いた袋では、切り目のラインがチャックのラインと並行で、かつ、近接している。そのため、切り目に沿って切断した場合には、切り口の前面と背面とが密着しやすく、チャックを開封する際に指先を挿入する隙間がほとんど無く、指先の挿入によるチャックの開封が困難であった。
特に、高齢者の場合、湿布材、サプリメント剤および薬剤など加圧密封用チャック付き包装袋にて包装・保管されている商品を扱う機会が多く、また、高齢化に伴い指先が不自由となる傾向が強いため、指先の挿入がし難いためにチャックの開封が困難であることは深刻な問題である。
【０００３】
上記問題を改善すべく様々な包装袋が提案されている。例えば、特許文献１では、開封した袋の切断形状が切り口の前面と背面とで差異が生じるような構造を提案している。これは、袋を開封するための切り込みを手でちぎった時に、袋の切り口の前面と背面とに差異が生じるような機構を付加するものである。
しかしながら、特許文献１に開示されている保存用袋では、チャックの上端部を波形に形成するのが煩雑になる。このことは、特許文献２において、特許文献１の保存用袋の発明者自身が指摘している（特許文献２の段落０００４を参照。特許文献１と特許文献２では発明者が同一である。）。
【０００４】
また、特許文献２の段落０００６の記載によると、従来の密封用チャック付袋を開封する時、切断位置を示す切り込みを手でちぎって開封しても、袋の切り口の前面と背面とが同一形状のまま密着状態になり、指先等を挿入する隙間がほとんどできない点が指摘されている。
しかしながら、かかる指摘については、切り目のラインがチャックのラインと並行で、かつ、近接しているために、袋の切り口の前面と背面とが同一形状であると密着状態になりやすく、指先等を挿入する隙間ができ難いという点に留意する必要がある。
【０００５】
一方、特許文献２に開示されている保存用袋では、密封用チャックの物品の出し入れする側の上端部の前面と背面との間に空間が生じるようにフリルなどを設けている。しかしながら、この場合も、密封用チャックの上端部を波形に形成するため煩雑な加工処理が必要となり、製造コスト面の問題がある。
特に、本発明が対象とする包装袋は、原則として使い捨ての類であり、安価な製造コストが求められる。
【０００６】
また、特許文献３に開示されている保存用袋の場合、特許文献１と同様につまみが前面と背面で交互に重ならないようになっているもの（特許文献３の図１，図２）、片方のつまみだけが長く飛び出ているもの（特許文献３の図３）、２
枚のつまみが重ならないようにしてあるもの（特許文献３の図４）、一方のつまみの方が他方のつまみより短いもの（特許文献３の図５）が提案されている。しかしながら、特許文献３で提案されているようなつまみを、切り目に沿って手でちぎるようなやり方で実現することは非常に困難である。また、切り目が保存用袋の前面と背面で異なるため、切り目の加工処理が特殊処理とならざるを得ないことが推測され、製造コスト面の問題がある。
【先行技術文献】
【特許文献】
【０００７】
【特許文献１】特開２００３−１０４３９４号公報
【特許文献２】実用新案登録第３１１１２６９号公報
【特許文献３】特開２００４−２３１２９０号公報
【考案の概要】
【考案が解決しようとする課題】
【０００８】
上記状況に鑑みて、本考案は、密封用チャックの開封の利便性を向上し得る加圧密封用チャック付き包装袋を提供することを目的とする。
【課題を解決するための手段】
【０００９】
上記目的を達成すべく、本考案の加圧密封用チャック付き包装用袋は、内側に加圧密封用チャックと、該チャックの上端部に切り目が設けられている包装用袋において、切り目の線を湾曲あるいは屈曲させて、切り目の中央部を周縁側に膨らませた山型としたことを特徴とする。
切り目の線を湾曲あるいは屈曲させて、切り目の中央部を周縁側に膨らませた山型とすることで、上端部を手でちぎった後は、この山型部分が掴み部となる。この山型の縁部は、チャックのラインと並行ではなく、また、チャックのラインと近接していない。このため、山型の頂上部分は、前面と背面とが同一形状であっても密着状態になり難く、指先等を挿入する隙間が生じやすくなる。
なお、加圧密封用チャック付き包装用袋の場合、一度開封しても後で密封することができ、何度でも開封・密封を繰り返すことができる。本考案の加圧密封用チャック付き包装用袋の場合、一回開くと、その後は山型の頂上部分が花弁のように開き、２回目以降は更に指先等を挿入する隙間が生じやすくなり開けやすくなるのである。
【００１０】
また、本考案の加圧密封用チャック付き包装用袋において、切り目に沿って切り取った後、上記の周縁側に膨らませた山型部分が２つの掴み部となり、該２つの掴み部を反対方向に開けることにより、チャックの開封が行われることを特徴とする。
上述したように、山型の頂上部分は、前面と背面とが同一形状であっても密着状態になり難く、指先等を挿入する隙間が生じやすいことから、２つの掴み部となり、該２つの掴み部を反対方向に開けることにより、チャックの開封を容易に行うことができるのである。
【考案の効果】
【００１１】
本考案の加圧密封用チャック付き包装用袋によれば、切り目に沿って切り取った後、周縁側に膨らませた山型部分が２つの掴み部となり、２つの掴み部を反対方向に開けることにより、容易にチャックの開封が行えるといった効果を有する。
【図面の簡単な説明】
【００１２】
【図１】実施例１の加圧密封用チャック付き包装用袋の構造図
【図２】実施例１の加圧密封用チャック付き包装用袋の説明図
【考案を実施するための最良の形態】
【００１３】
以下、本考案の実施形態について、図面を参照しながら詳細に説明していく。なお、本考案の範囲は、以下の実施例や図示例に限定されるものではなく、幾多の変更及び変形が可能である。
【実施例１】
【００１４】
図１は、実施例１の加圧密封用チャック付き包装用袋の構造を示している。
実施例１の加圧密封用チャック付き包装用袋１は、内側に加圧密封用チャック３があり、チャック３の上端部に切り目が設けられている。
従来のこの手の加圧密封用チャック付き包装用袋の場合、チャックの上端部にチャックと並行に切り目が設けられているのに対して、本考案の包装用袋では、図１に示すように、切り目２の線を湾曲あるいは屈曲させて、切り目の中央部（２ａ〜２ｃ）を周縁部１１側に膨らませた山型の形状にしている。
【００１５】
従来のこの手の加圧密封用チャック付き包装用袋の場合、チャックのラインと切り目のラインの間隔Ａは１０ｍｍ程度が殆どである。この場合、チャックのラインと切り目のラインが平行で、切り目に沿って上端部をちぎった後、チャックの上端部は１０ｍｍ程度しか残らず、前面と背面とが密着状態になりやすい。
【００１６】
一方、本考案の加圧密封用チャック付き包装用袋の場合、切り目２を上述のようにしていることで、切り込み部５から、切り目２に沿って上端部を手でちぎった後は、図２に示すように、この山型部分が掴み部１０となる。山型部分の高さ（図１のＢ）は６〜１０ｍｍ程度確保できるので、チャックのラインと山型の縁部のラインは最大１６〜２０ｍｍ間隔が大きくなる。このため、山型の頂上部分は、前面と背面とが同一形状であっても密着状態になり難く、指先等を挿入する隙間が生じやすくなるのである。
【００１７】
実際に使用するうちに、山型の頂上部分は、前面と背面の紙が剥がれやすくなるので、より指先等を挿入しやすくなる。また、山型部分の一方を外側に折り目を付けること行うことで、より指先等を挿入しやすくなる。
【産業上の利用可能性】
【００１８】
本考案は、飴菓子や粉ミルクなど食品、湿布材、サプリメント剤および薬剤など加圧密封用チャック付き包装袋に有用である。
【符号の説明】
【００１９】
１  包装用袋
２  切り目
３  加圧密封用チャック
５  切り込み部
１０  摘み部
１１  周縁部
【図１】
0003188315.tif 000003
【図２】
0003188315.tif 000004